(57)【要約】【課題】  高齢者や独身者の一人住まいが多く見られる今日、人の手を借りなければ出来ない事も多くあるが、背中に湿布薬ひとつ貼るにしてもなかなか困難であった。そこで、従来から知られている孫の手に、一人で患部に湿布薬を正確、且つ自在に貼ることができる機能を加えた湿布薬貼付具を提供する。【解決手段】  孫の手の柄の握手部分に回転自在な円筒形のローラーと、そのローラーを支持する外周ケースとを設け、背中に対してローラーが密着するよう本体に適度な角度をつけた。保護シートを剥離した湿布薬の裏面でローラーの外周に添わせ、湿布薬表面の粘着性を利用して外周ケース上下内側に当該湿布薬の両端を仮止めする。ローラーを背中などの患部に当て上下に移動回転させることで、人手を借りずに容易に湿布薬を貼ることができる。また、患部を正確に特定するため、コの字状から成る突起物をローラー支持軸部両端に設けた。【選択図】図３
2009201957.tif 000002
【特許請求の範囲】
【請求項１】
背中を掻くための具である孫の手の柄、握手の部分に自在に回転する円筒形のローラーと、そのローラーを支持するための外周ケースとを設け、手の届きにくい背中など患部に湿布薬を貼り付けることを目的とした貼付具で、当該ローラーの表面全体に多数の凹凸を設けたことで、患部に触れるローラーの表面積を少なくすることができ、貼付時に同じ力を加えてもローラーの表面全体に凹凸が無いものに比べ、貼圧を増すことが可能と成り高齢者などが使用する際に力をあまり必要とせず、負担を軽減することができる特徴がある湿布薬貼付具。
【請求項２】
湿布薬を仮止めする為の外周ケース上下内側接着部分にかまぼこ状の膨らみを設けたことで、接着面が湾曲に成り、仮止め部分の接着面が少なくなる為、ローラーが患部を上下に移動回転したとき、仮止め部分から湿布薬がスムーズに剥がれ患部に貼り付けられる。また、湿布薬を仮止めする時に湿布薬自体の粘着性を利用することから、特に他の部材を必要とせず経済的であること等を特徴とした請求項１記載の湿布薬貼付具。
【請求項３】
ローラーの支持軸部両端に天秤の原理を用いて装着したコの字状から成る突起物は、常にローラーの中心部分で静止しており、且つ患部に直接触れる当該突起物の先端部表面に凹凸を設けたことで、より敏感に患部を特定することができる。また、この突起物は上述の通り天秤の原理を持って装着しているため、患部を特定した後そのまま患部にローラーを押し付けると、突起物は自然に上方または下方のいずれかに支持軸部を支点として回転し患部より離れるので、貼付する際には邪魔にならない等の特徴を持った請求項１−２記載の湿布薬貼付具。
【請求項４】
孫の手本来の作用部の背面に箆を設けたことで、その箆を使い背中などに貼り付けた湿布薬を人手を借りず、一人で剥がすことが出来ることを特徴とした請求項１−３記載の湿布薬貼付具。
【発明の詳細な説明】
【技術分野】
【０００１】  この発明は、特に湿布薬を自分では手が届き難い背中等に貼り付けることを目的とする湿布薬貼付具に関する。
【背景技術】
【０００２】  孫の手などに湿布薬を付着させる部材等を設け、他端部を持って自在に貼付具を操作することにより、上記部材等を患部に当てて湿布薬を患部に貼り付ける湿布薬貼付具が、下記の特許文献に示すように従来提案されている。
【特許文献１】特開平１０−７５９８６号公報
【特許文献２】特開２００２−３６９８４３号公報
【特許文献３】特開２００３−１６４４８１号公報
【特許文献４】特開２００６−３４６０７８号公報
【発明の開示】
【発明が解決しようとする課題】
【０００３】  前記の公知発明においては、湿布薬貼付具についての構造が複雑である為に製品の製造コストが嵩み、販売価格面で消費者ニーズに応えにくいところがある。【０００４】  湿布薬を貼付具に仮止めする為の前段の準備に面倒なところがあり、高齢者には扱い難い面がある。【０００５】  患部に湿布薬を貼り付けようとしても、目視が困難な主に背中などの患部の特定がしにくく、湿布薬を患部へ正確に貼り付けることが難しい面がある。【０００６】  患部に接するローラー表面が平面的であるため、確実に患部に貼り付けるにはそれなりの力が必要で高齢者には不向きな面がある。【０００７】  薬効の無くなった湿布薬を剥がすにしても剥がし専門の具が無いため、一人で剥がすには難しい面がある。
【課題を解決するための手段】
【０００８】  以上の従来技術の問題点に鑑み、構造的にもまた、操作的にも簡易なものに徹し創作されたものであり、孫の手の柄の握手部分に回転自在な円筒形のローラーと、そのローラーを支持する外周ケースとを設け、保護シートを剥離した湿布薬の裏面でローラーの外周に添わせ、湿布薬表面の粘着性そのものを利用して外周ケース上下内側に当該湿布薬の両端を仮止めできるようにした。【０００９】  製品の製造者側から見ても貼付具の構造を簡素化したことと、全体を構成する素材をプラスチックのみにすること等により、製造金型の作成や加工素材など総合的に見て、製造コストを軽減できる様にした。【００１０】  患部を正確に特定するため、ローラーの支持軸部両端に天秤の原理を用いて装着したコの字状から成る突起物は、常にローラーの中心部分で静止しており、且つ患部に直接触れる当該突起物の先端部表面に凹凸を設けることで、より敏感に患部を特定することが出来る様にした。【００１１】  ローラーの表面全体に多数の凹凸を設けたことにより、患部に触れるローラーの表面積を少なくすることができ、同じ力でローラーを転がしてもローラー表面に凹凸が無いものに比べて、患部接触面にかかる貼圧をより増すことが可能となり、高齢者などが操作する際の力をあまり必要とせず負担を軽減することが出来た。【００１２】  湿布薬を仮止めする為の外周ケース上下内側接着部分に、かまぼこ状の膨らみを設けたことで接着面が湾曲に成り、仮止め部分の接着面を少なくすることができ、ローラーが患部を上下に移動回転したとき、仮止め部分から湿布薬がスムーズに剥がれ患部に貼り付けることができる様にした。【００１３】  薬効の無くなった湿布薬を一人で剥がすことが出来るように専用の箆を設けた。
【発明の効果】
【００１４】  製品の製造者側から見ても貼付具の構造を簡素化したことと、全体を構成する素材をプラスチックのみにすること等により、製造金型の作成や加工素材など総合的に見て、製造コストを軽減することが期待できる。【００１５】  湿布薬を貼り付ける際、人の手を借りず自分で患部に何時でも正確に貼ることが出来る。【００１６】  湿布薬を貼付具に仮止めする際、湿布薬自体の粘着性を利用することから仮止め用に他の部材を必要とせず、ランニングコストが掛からず経済的にも使用することができる。【００１７】  薬効が無くなった湿布薬を剥がす際も人手を借りずに自分で剥がせるようになる。
【発明の実施するための最良の形態】
【００１８】  以下、本発明の実施の形態を図１〜図７に基づいて説明する。
【００１９】  図１は、本発明の湿布薬貼付具の斜視図である。プラスチック製で符号１の柄の部分と符号２の外周ケース部分とが一体と成っており、符号５の突起物と符号６のローラーは、図７の軸棒により符号３の支持軸部において装着されている。
【００２０】  図２は、貼付作用部分の側面拡大図である。符号５の突起物は符号３の支持軸部において、天秤の原理を用いて装着されており、常にローラーの中心を指すようにバランスが取られている。
【００２１】  図３は貼付作用部分の前面斜視拡大図であり、外周ケース上下内側の湿布薬接着面部分には符号４のかまぼこ状の膨らみをもたせている。
【００２２】  図４は湿布薬貼付具の他端部の拡大図であり、符号７は箆、符号８は孫の手作用部である。
【００２３】  図５はローラーの拡大図であり、符号９は貼圧を強めるための凹凸部分である。
【００２４】  図６は突起物の拡大図であり、符号１０は患部に触れた際の感触を高めるための凹凸部分である。
【図面の簡単な説明】
【００２５】
【図１】  湿布薬貼付具の全体の斜視図
【図２】  貼付作用部分の側面拡大図
【図３】  貼付作用部分の前面の斜視拡大図
【図４】  湿布薬貼付具の他端部の拡大図
【図５】  ローラーの拡大図
【図６】  突起物の拡大図
【図７】  軸棒の拡大図
【図８】  湿布薬裏面を側面を通して見ている図
【図９】  湿布薬の両端を仮止めしている図
【図１０】  患部を確認している図
【図１１】  湿布薬を貼り付けている図
【符号の説明】
【００２６】  １  本体柄
２  外周ケース
３  支持軸部
４  かまぼこ状膨らみ部分
５  突起物
６  ローラー
７  箆
８  孫の手作用部
９  ローラー表面の凹凸部
１０  突起物先端表面の凹凸部
１１  湿布薬の裏面部分
１２  湿布薬の表面部分
【図１】
2009201957.tif 000003
【図２】
2009201957.tif 000004
【図３】
2009201957.tif 000005
【図４】
2009201957.tif 000006
【図５】
2009201957.tif 000007
【図６】
2009201957.tif 000008
【図７】
2009201957.tif 000009
【図８】
2009201957.tif 000010
【図９】
2009201957.tif 000011
【図１０】
2009201957.tif 000012
【図１１】
2009201957.tif 000013